(57)【要約】本発明は、診断空間（２５）と、該診断空間において主磁界を生成するための主磁界システム（２２）と、主磁界の少なくとも１つの勾配を生成するための勾配コイルを有する勾配磁気コイルシステム（２３）と、勾配コイルの振動の結果として生じるノイズを低減させるためのノイズ低減手段（２９、３２）とを有する磁気共鳴イメージング（ＭＲＩ）装置（２１）を提供する。ノイズ低減手段は勾配コイルと診断空間との間に配置された音声吸収パネル（２９）を有する。音声吸収パネル（２９）は開放端部及び密閉端部を有するチャネルを有する。
2006528899.tif 000002
【特許請求の範囲】
【請求項１】
診断空間；
該診断空間において主磁界を生成するための主磁界システム；
前記主磁界の少なくとも１つの勾配を生成するための勾配コイルを有する勾配磁気コイルシステム；及び
前記勾配コイルの振動の結果として生じるノイズを低減させるためのノイズ低減手段；
を有する磁気共鳴イメージング（ＭＲＩ）装置であって、前記ノイズ低減手段は前記勾配コイルと前記診断空間との間に配置された音声吸収パネルを有する、ことを特徴とする磁気共鳴イメージング（ＭＲＩ）装置。
【請求項２】
請求項１に記載の磁気共鳴イメージング（ＭＲＩ）装置であって、前記音声吸収パネルは、２０Ｈｚ乃至４０００Ｈｚの周波数範囲に対して、少なくとも０．５ｄＢのオーダーの、より好ましくは少なくとも０．７５ｄＢのオーダーの吸収係数を有する、ことを特徴とする磁気共鳴イメージング（ＭＲＩ）装置。
【請求項３】
請求項１又は２に記載の磁気共鳴イメージング（ＭＲＩ）装置であって、前記音声吸収パネルは開放端部及び密閉端部を有するチャネルを有する、ことを特徴とする磁気共鳴イメージング（ＭＲＩ）装置。
【請求項４】
請求項３に記載の磁気共鳴イメージング（ＭＲＩ）装置であって、前記チャネルは前記診断空間及び前記勾配コイル間の方向に少なくとも実質的に平行な方向に延びている、ことを特徴とする磁気共鳴イメージング（ＭＲＩ）装置。
【請求項５】
請求項３又は４に記載の磁気共鳴イメージング（ＭＲＩ）装置であって、前記チャネルは前記診断空間及び前記勾配コイル間の方向に少なくとも実質的に垂直な方向であって、少なくともそれらのチャネルの密閉端部の側に延びている、ことを特徴とする磁気共鳴イメージング（ＭＲＩ）装置。
【請求項６】
請求項３、４又は５に記載の磁気共鳴イメージング（ＭＲＩ）装置であって、前記チャネルの少なくとも一部の前記開放端部は前記診断空間の方に向いている関連チャネルの側にある、ことを特徴とする磁気共鳴イメージング（ＭＲＩ）装置。
【請求項７】
請求項３、４又は５に記載の磁気共鳴イメージング（ＭＲＩ）装置であって、前記チャネルの少なくとも一部の前記開放端部は前記勾配コイルの方に向いている関連チャネルの側にある、ことを特徴とする磁気共鳴イメージング（ＭＲＩ）装置。
【請求項８】
請求項３乃至７の何れ一項に記載の磁気共鳴イメージング（ＭＲＩ）装置であって、前記関連開放端部の前記側における前記チャネルの少なくとも一部の断面寸法は最大１５ｍｍであり、好ましくは、１０ｍｍである、ことを特徴とする磁気共鳴イメージング（ＭＲＩ）装置。
【請求項９】
請求項３乃至８の何れ一項に記載の磁気共鳴イメージング（ＭＲＩ）装置であって、前記関連密閉端部の前記側における前記チャネルの少なくとも一部の断面寸法は前記関連開放端部の前記側における前記チャネルの前記一部の断面寸法と異なる、ことを特徴とする磁気共鳴イメージング（ＭＲＩ）装置。
【請求項１０】
請求項９に記載の磁気共鳴イメージング（ＭＲＩ）装置であって、前記関連密閉端部の前記側における前記チャネルの前記一部の前記断面寸法は前記関連開放端部の前記側にある前記チャネルの前記一部の前記断面寸法より大きい、ことを特徴とする磁気共鳴イメージング（ＭＲＩ）装置。
【請求項１１】
請求項１０に記載の磁気共鳴イメージング（ＭＲＩ）装置であって、前記関連密閉端部の前記側における前記チャネルの前記一部の断面寸法と前記関連開放端部の前記側における前記チャネルの前記一部の前記断面寸法との間の比率は少なくとも２．５のオーダーであり、好ましくは、少なくとも４．０のオーダーである、ことを特徴とする磁気共鳴イメージング（ＭＲＩ）装置。
【請求項１２】
請求項３乃至９の何れ一項に記載の磁気共鳴イメージング（ＭＲＩ）装置であって、隣接チャネルの関連最大断面寸法の位置における隣接チャネル間の最小間隔は前記関連最大断面寸法の合計の最大限５０％であり、好ましくは、前記関連断面寸法の前記合計の最大限３５％である、ことを特徴とする磁気共鳴イメージング（ＭＲＩ）装置。
【請求項１３】
請求項３乃至１２の何れ一項に記載の磁気共鳴イメージング（ＭＲＩ）装置であって、前記音声吸収パネルの前記チャネルの寸法は互いに異なる、ことを特徴とする磁気共鳴イメージング（ＭＲＩ）装置。
【請求項１４】
請求項３乃至１３の何れ一項に記載の磁気共鳴イメージング（ＭＲＩ）装置であって、前記音声吸収パネルは前記診断空間において高周波信号を生成及び／又は受信するための高周波送信コイルシステムを備えている、ことを特徴とする磁気共鳴イメージング（ＭＲＩ）装置。
【請求項１５】
請求項１４に記載の磁気共鳴イメージング（ＭＲＩ）装置であって、前記高周波送信コイルシステムは少なくとも一部の前記チャネル間の少なくとも一部において延びている導電性巻線を有する、ことを特徴とする磁気共鳴イメージング（ＭＲＩ）装置。
【請求項１６】
請求項１４に記載の磁気共鳴イメージング（ＭＲＩ）装置であって、前記高周波送信コイルシステムは少なくとも１つの導電層を有し、前記音声吸収パネルは前記診断空間の前記側にその導電層をコーティングされ、その導電層において前記診断空間の前記側にあることが可能である前記チャネルの何れの開放端部の位置に開口がある、ことを特徴とする磁気共鳴イメージング（ＭＲＩ）装置。
【請求項１７】
請求項３乃至１６の何れ一項に記載の磁気共鳴イメージング（ＭＲＩ）装置であって、前記音声吸収パネルは多くの隣接する、好ましくは、互いに接着されたサブパネルから構成される、ことを特徴とする磁気共鳴イメージング（ＭＲＩ）装置。
【請求項１８】
請求項３乃至１７の何れ一項に記載の磁気共鳴イメージング（ＭＲＩ）装置であって、前記音声吸収パネルは、２０Ｈｚ乃至４００Ｈｚの周波数範囲の少なくとも一部に対して少なくとも０．５の吸収係数を有する音声吸収材料を開放端部間にコーティングされている、ことを特徴とする磁気共鳴イメージング（ＭＲＩ）装置。
【請求項１９】
請求項１乃至１８の何れ一項に記載の磁気共鳴イメージング（ＭＲＩ）装置であって、前記音声吸収パネルはグラスウールを有する、ことを特徴とする磁気共鳴イメージング
【発明の詳細な説明】
【技術分野】
【０００１】
本発明は、磁気共鳴イメージング（ＭＲＩ）装置であって、診断空間と、前記診断空間における主磁界を生成するための主磁気システムと、主磁気システムの少なくとも１つの勾配を生成するための勾配コイルを有する勾配磁気コイルシステムと、勾配コイルの変動の結果として生成されるノイズを低減させるためのノイズ低減手段とを有する、磁気共鳴イメージング（ＭＲＩ）装置に関する。
【背景技術】
【０００２】
冒頭の段落で述べた種類の磁気共鳴イメージング（ＭＲＩ）装置は、密閉型とも言われている実質的に円筒形形態の状態で知られている。その実施形態については、米国特許第６，０４３，６５３号明細書に記載されている。密閉型ＭＲＩ装置の場合、回転方向で見て非対称構成を用いることが可能であり、その構成において、その装置は、例えば、非常に平らになっている裏面又は楕円形断面を有する。
【０００３】
その上、我々は、２つの実質的にディスク形状のハウジングであって、それらの各々は主磁気システムの一部及び勾配磁気システムの一部を収容する、ハウジングを有する開放型変形に対する関心の高さを目の当たりにしてきた。診断空間はそれらのディスク形状ハウジングの間に位置付けられ、そこで、垂直方向に方向付けられた磁界が生成される。開放型ＭＲＩシステムは、密閉型ＭＲＩシステムに対して幾つかの重要な有利点を有し、それらの有利点は、診断空間において患者を取り巻くより大きい自由空間が利用可能であることと結び付けられる。一方で、これは、患者が抱く可能性がある何れの閉所恐怖症感覚を緩和するように支援し、他方で、より広い空間は、医師が診断空間において患者に診療行為を施すことを可能に又はより容易にする。
【０００４】
実際に遭遇する重要な問題点は、ＭＲＩシステムにより生じる音響振動である。前記音響振動はノイズをもたらし、そのノイズは、診断空間において診断される患者にとって不快である。音響振動は、比較的大きいローレンツ力が主磁石により生成される強い磁界と約４０００Ｈｚ以下の周波数における勾配コイルの電気巻線を流れる交流電流との間の電磁気的相互作用の結果として、勾配コイルの電気巻線に作用することによりもたらされる。前記相互作用は、ＭＲＩシステムの構成であって、より具体的には、そのシステムの勾配コイルにおける機械的振動をもたらし、それは又、診断空間及びＭＲＩシステムの外側の両方における、正確には、患者の聴覚が最も劣悪である４０００Ｈｚ以下の周波数領域における前記音響振動の発生に繋がる。
【０００５】
上記の米国特許第６，０４３，６５３号明細書はノイズの問題に対する解決方法であって、その方法に従って、勾配コイル巻線が全体として真空チャンバ中に収容される、解決方法を提案している。これは、対象のＭＲＩ装置における深刻な構成上の要求であり、原価の重大な増大に繋がる。
【発明の開示】
【発明が解決しようとする課題】
【０００６】
本発明の目的は、比較的単純であり、それ故、比較的コストパフォーマンスの高い方式でノイズレベルの低減を有する、冒頭の段落で述べた種類の磁気共鳴イメージング（ＭＲＩ）装置を提供することである。
【課題を解決するための手段】
【０００７】
この目的を達成するために、本発明に従った磁気共鳴イメージング（ＭＲＩ）装置は、ノイズ低減手段が、勾配コイルと診断空間との間に配置された音声吸収パネルを有することを特徴とする。それ故、実質的なノイズ低減が構造的に単純な方式で達成されることができ、上記の米国特許第６，０４３，６５３号明細書において提案されている解決方法と異なり、生成される音声を回避するために試み、効果が最大となる位置に性格に配置されている音声吸収パネルにより前記音声を吸収することにより音声が反響することを防止する。
【０００８】
音響吸収パネルが、少なくとも０．５のオーダーであって、より好適には、２０Ｈｚ乃至４０００Ｈｚの周波数範囲の少なくとも一部について少なくとも０．７５のオーダーの吸収係数を有する場合、顕著なノイズ低減が得られる。音声吸収係数は、吸収された音声（ｄＢ）と入ってくる音声（ｄＢ）との間の比率を表す。吸収係数が１である場合、これは、それ故、音声吸収パネルが入ってくる音声全てを吸収する。音声吸収形数値０．５により１．３ｄＢのノイズ低減が得られる。一般に、時間ｔの関数としての音圧ＳＰＬ（Ｐａ）に関して、次式が適用され、
ＳＰＬ（ｔ）＝Ａ＊［ｓｉｎ（２π＊ｆ＊ｔ）＋√（１−α）＊ｓｉｎ（２π＊ｆ＊ｔ）］
ここで、Ａは音圧（Ｐａ）の振幅であり、ｆは周波数であり、αは吸収係数である。
【０００９】
本発明に従った磁気共鳴イメージング装置の非常に適切な実施形態は、音声吸収パネルが開放端部と密閉端部とを有するチャネルであって、好適には、診断空間及び勾配コイル間の方向に対して少なくとも実質的に平行な方向に延びている、チャネルを有する場合に得られる。それらのチャネルの機能は、パネルにより特定程度の音声吸収を達成することである。チャネルを用いる重要な有利点は、前記チャネルの寸法の適切な選択は、可聴範囲内の勾配コイルの特定の固有周波数に対して音声吸収効果を最適化することが可能であることである。
【００１０】
必要なチャネル及び必要なチャネルの長さのための利用可能な空間に依存して、少なくともそれらの密閉端部の側において、診断空間及び勾配コイル間の方向に少なくとも実質的に垂直に延びている場合、チャネルは有利となる。
【００１１】
少なくとも一部のチャネルの開放端部は、好適には、診断空間に対向している関連チャネルの側にある。それ故、診断空間からもたらされる音声は吸収されることとなる。
【００１２】
代替として、特に上記の好適な実施形態との組み合わせにおいて、それは又、勾配コイルの方に対向している関連チャネルの側に存在するようになっているチャネルの少なくとも一部の開放端部に対して、本発明の構成の範囲内で非常に可能である。このようにして、それらの開放端部は、ノイズの源の方に方向付けられ、それ故、非常に有利なノイズ減少効果が得られる。勾配コイルの方に向いている側にそれらの開放端部を有するチャネルと診断空間の方に向いている側にそれらの開放端部を有するチャネルとが用いられる場合、勿論、特定のＭＲＩ装置に関連するノイズの発生に対してそのようなチャネル間の比率を適合させることは可能である。
【００１３】
上記のように、チャネルを適切な寸法にすることは、得られる固有周波数に音声吸収効果を最適に適合させることを可能にする。一般には、しかしながら、関連開放端部の側のチャネルの断面寸法が減少するにつれて、音声吸収の度合いは増加することが記載されている。その結果、関連開放端部の側のチャネルの少なくとも一部の断面の寸法は、好適には、最大１５ｍｍであり、更に好適には、最大１０ｍｍである。円筒形ボアの形にあるチャネルの場合、用語、断面寸法は、勿論、直径をいう。本発明の範囲内では、チャネルが実質的に円筒形であることは必ずしも必要ないが、円筒形状は、製造の観点から最も有利な形状である。
【００１４】
非常に有利で好適な実施形態に従って、関連密閉端部の側のチャネルの一部の断面寸法は、関連開放端部の側のチャネルの一部の断面寸法とは異なる。それ故、関連チャネルの比較的短い長さは比較的大きい音声吸収効果をもたらす。これは、空間は常に利用可能ではなく、又は、空間は主要コストにおいてのみ利用可能であるため、特に、ＭＲＩ機器の場合、主要な有利点である。
【００１５】
好適には、関連密閉端部の側のチャネルの一部の断面寸法は、関連開放端部の側のチャネルの一部の断面寸法より大きい。音声が比較的狭い連通路からチャネルの端部におけるより広い空間まで伝わる、このようにして構成されるチャネルは、必要とされるチャネルの大きい長さを伴うことなく、音声の吸収において非常に効果的であるように見てとれる。
【００１６】
音声吸収効果の最大利用を達成するために、関連密閉端部の側のチャネルの一部の断面寸法と関連開放端部の側のチャネルの一部の断面寸法との間の比率は、好適には、２．５のオーダーであり、更に好適には、少なくとも４．０のオーダーである。
【００１７】
音声吸収効果は、高密度な音声吸収チャネルを実現することにより更に改善されることができる。この構成において、隣接チャネル間の関連最大断面寸法の位置における隣接チャネル間の最小間隔は、好適には、関連最大断面寸法の合計の最大５０％であり、更に好適には、関連最大断面寸法の合計の最大３５％である。これは、例えば、最大直径１００ｍｍ及び６０ｍｍそれぞれを有する２つの隣接チャネル間の間隔が、好適には、最大８０ｍｍであり、更に好適には、最大５６ｍｍであることを意味する。
【００１８】
上記の実施例は、本発明の範囲においては、音声吸収パネルのチャネルは互いに対応する寸法を有することは必ずしも必要ないことを十分に示している。対照的に、チャネルに対して互いに異なる寸法を用いることが、一般に、有利となり、これは、勾配コイルの可聴領域における種々の固有周波数にチャネルの音声吸収効果を最適に適合させることを可能にする。結果として、本発明の非常に有利な実施形態は、音声吸収パネルのチャネルのそれらの寸法が互いに異なることを特徴とする。
【００１９】
できるだけ多くのチャネルを有する音声吸収パネルを用いる結果として得られる空間の付加量を制限するために、又は、全体でこれを回避するために、診断空間において高周波信号を生成及び／又は受信するための高周波送信コイルシステムを音声吸収パネルに備えることは、更に非常に好ましいことである。ＭＲＩ装置における高周波送信コイルシステムの機能及び必要性は、当業者には周知であり、それ故、更なる説明はここでは必要ない。高周波送信コイルシステムは、通常、勾配コイルと診断空間との間に存在すると言えば十分である。高周波送信コイルシステムの適切な実施形態は、本発明のここでの好適な実施形態の構成の範囲内では主な関心事ではない。高周波送信コイルシステムの高周波コイルは対称的又は非対称的であることが可能であり、例えば、肩凹部を備えることが可能であり又は可能ではなく、又は、例えば、ＭＲＩ装置の一方側においてのみ存在することが可能である。
【００２０】
好適には、高周波送信コイルシステムは、少なくとも幾つかのチャネルの間の少なくとも一部において延びている導電性巻線を有する。更に好適には、そのような導電性巻線は、少なくとも幾つかのチャネル間で十分に延びている。実際には、好適な実施形態は、特に、密閉型ＭＲＩ装置と共に用いられ、そのＭＲＩ装置において、高周波送信コイルシステムは導電性巻線を有する。
【００２１】
開放型ＭＲＩ装置の場合、高周波送信コイルシステムは、一般に、樹脂材料の平板形状キャリア上に備えられた導電性層を有する。そのようなキャリアは、音声吸収チャネルを有利に備えることができ、それ故、そのキャリアは、本発明の構成の範囲内で音声吸収パネルとみなされる。好適には、高周波送信コイルシステムは、それ故、少なくとも１つの導電性層を有し、音声吸収パネルはその導電性層を診断空間の側にコーティングされ、その導電性層において、診断空間の側に存在することが可能であるチャネルの何れの開放端部の位置に開口が存在する。導電性層における前記開口はチャネルの一端部の開放特性を保証する。用いられるチャネルの開放端部は、勾配コイルの側に全て存在することが可能であり、勿論、その状態では、それ故、導電性層に開口を備える必要はない。
【００２２】
特に、チャネルの断面寸法が長手方向において急激に変化するように決定されている場合、製造理由に対して、多くの隣接する、好適に互いに密着しているサブパネルを有する音声吸収パネルを構築することは好ましい。
【００２３】
音声吸収又はノイズ低減効果に関する更なる改善は、好適な実施形態に従って、音声吸収パネルが、２０Ｈｚ乃至４０００Ｈｚの周波数範囲の少なくとも一部において少なくとも０．５の吸収係数を有する音声吸収材料で開放端部間をコーティングされる場合に、得られる。
【００２４】
代替の音声吸収パネルの実施形態においては、前記パネルはグラスウールを有する。グラスウールを使用することは、２０００Ｈｚ乃至１００００Ｈｚの周波数範囲において特に有利である。
【００２５】
本発明について、以下、多くの本発明の好適な実施形態により更に詳細に説明する。
【発明を実施するための最良の形態】
【００２６】
図１は、本発明に従ったＭＲＩ装置１の構造の垂直方向の断面を模式的に示している。円筒形主磁気システム２が最外郭を構成するようにして示されている。前記円筒形主磁気システム２は超伝導磁石を有し、それらの超伝導磁石は、前記磁石がそれらの超伝導特性を現すようにクライオスタットを用いて低音に保たれている。その幾らかの詳細について図１に示されている円筒形高周波送信コイルシステム４は又、勾配コイルシステム３の内側にある。結局、患者が支持部（図示せず）上に横たわっている診断空間５は、実質的に円筒形の高周波送信コイルシステムの内部にある。そのような密閉型ＭＲＩ装置の構造は、当業者には周知である。この例示としての実施例については、例えば、上記の米国特許第６，０４３，６５３号明細書に記載されている。その結果、ＭＲＩ装置１の構造についての簡単な説明については、本発明の範囲内で十分であろう。
【００２７】
主磁気システム２は、診断空間５において主磁界を生成する。本発明の範囲内で、主磁気システム２、勾配コイルシステム３及び高周波送信コイルシステム４を用いて、診断空間５内に置かれた患者の内部器官の画像を生成することが可能であるというだけで十分である。前記の画像の生成に非常に強い電磁気力を有することが可能であり、その電磁気力は勾配コイルシステム３の振動をもたらす。前記振動は、人間の可聴領域の範囲内の、特に、２０Ｈｚ乃至４０００Ｈｚの周波数範囲内の周波数を有し、それらの振動は、診断空間５内に置かれた患者にとって、かなり不快な音響負荷となる。
【００２８】
円筒形高周波送信コイルシステム４は、固体樹脂材料６の管状郭から実質的に構成される。導電性巻線７は前記樹脂材料内に埋め込まれている。それらの導電性巻線７は、実質的に軸方向に延びている。半径方向に延びている円筒形ボア８はそれらの導電性巻線７間にあり、それらの円筒形ボア８は円筒形勾配コイルシステム３に対向する端部において開放されていて、反対側の端部において閉じている。それらの円筒形ボア８の長さは、高周波送信コイルシステム４の樹脂材料６の壁の厚さより短い。それらのボアは、開放端部の側において２０ｍｍのオーダーの比較的小さい直径を有し、密閉端部の側の直径は約１００ｍｍである。異なる直径を有するボア８の２つの間には、急激な直径の変化がある。
【００２９】
ボア８が勾配コイルシステム３からの音声への吸収効果を有することは、実験により明らかにされた。ボア８の寸法は、どの周波数に対して音声吸収効果が特にあるかを決定し、それ故、音声吸収効果は、ボア８の寸法（特定の直径を有する部分の個々の長さ及び直径）を適切に選択することにより、可聴領域の範囲内に入るように、勾配コイルシステム３の固有周波数に対して最適化されることができる。
【００３０】
図２は、ＭＲＩ装置１からの違いのみが高周波送信コイルシステム１４の実施形態に関わるＭＲＩ装置１１を図２が示す、この差を伴っている図１に類似する断面図を示している。更に具体的には、それらの２つの実施形態は、高周波送信コイルシステム１４のボア１８の方向に関して互いに異なる。開放端部が円筒形勾配コイルシステム３の側に単独に存在しないが、代替として、診断空間５の側及び円筒形コイルシステム３の側に存在する。ボア１８は同一の寸法を有するが、これは、本発明の範囲内では必ずしも必要ない。開放端部は高周波送信コイルシステム１４のどちらか側（半径方向でみて）に存在するため、音声吸収効果は、診断空間５の方向からもたらされる音声に対して及び円筒形勾配コイルシステム３の方向からもたらされる音声に対して現れる。
【００３１】
図３ａは、本発明に従ったＭＲＩ装置２１を断面にて模式的に示している。ＭＲＩ装置２１は開放型である。それは、密閉型ＭＲＩ装置と異なるデザインであるが、その開放型ＭＲＩ装置２１は、密閉型ＭＲＩ装置と同じ主構成要素、即ち、主磁気システム、勾配コイルシステム２３及び高周波送信コイルシステム２４を有する。それらのシステム２２、２３、２４は、診断空間２５の両側に配置されている２つの部分において主に作られている。診断空間２５の下部にあるそれらのシステム２２、２３、２４部品は、実質的にディスク形状の下部ハウジング（図示せず）内に収容されている一方、診断空間の上部側にあるそれらのシステム２２、２３、２４部品は、実質的にディスク形状の上部ハウジング（図示せず）内に収容されている。下部ハウジング及び上部ハウジングはアップライト２６により相互接続されている。第１位置においては、開放型ＭＲＩ装置は当業者には一般的であるため、及び第２位置においては、更なる説明は本発明を理解するために必要とされないために、開放型ＭＲＩ装置のより詳細な説明は必要ない。
【００３２】
高周波送信コイルシステム２４は、２つの実質的にディスク形状の、樹脂材料から成る多かれ少なかれ硬いプレート２９を有し、診断空間２５の両側に配置されている。本発明の範囲内で、音声吸収ボアが高周波送信コイル内に形成された好適な実施形態に対しては、前記プレートが硬いか樹脂材料から成るかどうかは重要でない。代替として、例えば、必ずしも硬くないポリカーボネートを使用することが可能である。図１及び２に従ったＭＲＩ装置１及び１１それぞれにおいて用いられる巻線７は、診断空間２５の側において導電性プレート２７で置き換えられる。導電性プレート２８は又、診断空間から離れた高周波送信コイルシステム２４のシステム部品の側にあり、その導電性プレートは、しかしながら、導電性プレート２７より非常に薄い。
【００３３】
２つの導電性プレート２７、２８間には樹脂材料より成るキャリアプレート２９があり、そのキャリアプレートは２つの接着されたサブプレート３０、３１から構成される。診断空間２５の側に開放端部と反対側に密閉端部とを有するボア３２はキャリアプレート内に形成される。サブプレート３１の厚さの範囲内で延びているボア３２の直径は、サブプレート３０の厚さの範囲内において延びているボア３２の直径より小さい。その結果、サブプレート３０と３１との間の遷移領域の位置においてボア３２の長さにおいて直径の急増が存在し、このことは、理解できる製造の理由のために有利である。ボア３２の開放端部の位置において、導電性プレート２７は、同様に、サブプレート３１内で延びているボア３２の直径に相当する直径を有する開口を備えている。
【００３４】
上記のように、この場合に、診断空間２５からもたらされる音声に対して、ボア３２の存在により音声吸収効果が与えられる。代替として、当業者に理解されるであろうように、ボア３２の開放端部は勾配コイルシステム２３の関連部品の方に及び診断空間２５の方に方向付けられ手入ることが可能であり、多かれ少なかれ、図２に従ったＭＲＩ装置１１の状態に類似している。
【００３５】
図３ｂは、ボアが高周波コイルシステム２４のシステム部品の領域に亘って分布している方式の明確な模式図である。このことは本発明の本質ではないが、ボア３０間の一定な中心間距離を有するように選択されている。その説明において、ボア３０の密閉端部の側の大きい直径（図示せず）は図３においては破線で示されている。その図に示しているように、ボア３０は、開放端部と密閉端部との位置における直径の寸法に関して互いに異なっている。そのように、ボア及びその音声吸収効果は、勾配コイルシステム２３において存在する種々の固有周波数に最適に適合されることができる。種々の部品の直径以外に又、前記部品の長さを変えることができる。
【００３６】
図４ａ乃至４ｃは、本発明に従ったＭＲＩ装置の一部を構成する音声吸収パネルにおいて用いることが可能である音声吸収チャネルの代替の実施形態について示している。図４ａに示すチャネルは、自由表面４４を有する音声吸収パネル４３において開放端部４１と密閉端部４２との間で延びている。円形断面を有するチャネル４０は２つの端部４１と４２との間に直角を有し、それ故、チャネル４０の必要な長さの部分であって、自由空間４４に垂直な方向においては音声吸収パネル４３内で利用可能でない部分が自由空間４４に平行な方向において作られている。
【００３７】
図４ｂに示すように自由空間を有する音声吸収パネル５０は、１つの開放端部５３及び２つの密閉端部５４、５５を有する音声吸収チャネル５２を有する。開放端部の側において、チャネル５２は単一の円筒形空間５６を有し、その円筒形空間は、密閉端部５４、５５それぞれの側において互いに異なる直径及び長さの円筒形空間５７、５８に分岐されている。音声吸収チャネル５２は、空間５６、５７、５８の直径を変えることにより特定周波数の減衰に適合されることができる。
【００３８】
図４ｃに従った音声吸収チャネル６０の直径はその開放端部６１から密閉端部６２に段階的に増大させることができ、それ故、異なる直径を有する３つの部分６３、６４、６５が形成されている。
【００３９】
本発明は、音声吸収効果を得るためのボアの使用に基づいて上記のように説明したが、本発明の範囲内で、例えば、グラスウールのような音声吸収材料を用いることが又、可能である。例えば、グラスウールのような音声吸収材料が種々のボアの開放端部の周りに備えられている組み合わせが又、可能である。
【図面の簡単な説明】
【００４０】
【図１】本発明に従った（密閉型）ＭＲＩ装置の第１実施形態の垂直方向の断面図である。
【図２】本発明に従った（密閉型）ＭＲＩ装置の第２実施形態の垂直方向の断面図である。
【図３ａ】本発明に従った（密閉型）ＭＲＩ装置の第３実施形態の垂直方向の断面図である。
【図３ｂ】図３ａに従ったＭＲＩ装置において使用される高周波送信コイルユニットの正面図である。
【図３ｃ】図３ａのＩＩＩｃ部分の詳細を示す図である。
【図４ａ】本発明の好適な実施形態において用いられることが可能である音声吸収チャネルの実施形態を示す図である。
【図４ｂ】本発明の好適な実施形態において用いられることが可能である代替の音声吸収チャネルの実施形態を示す図である。
【図４ｃ】本発明の好適な実施形態において用いられることが可能である代替の音声吸収チャネルの実施形態を示す図である。
【図１】
2006528899.tif 000003
【図２】
2006528899.tif 000004
【図３ａ】
2006528899.tif 000005
【図３ｂ】
2006528899.tif 000006
【図３ｃ】
2006528899.tif 000007
【図４ａ】
2006528899.tif 000008
【図４ｂ】
2006528899.tif 000009
【図４ｃ】
2006528899.tif 000010
【国際調査報告】
2006528899.tif 000011
2006528899.tif 000012
2006528899.tif 000013
2006528899.tif 000014